(57)【特許請求の範囲】
【請求項１】
屋根の棟部に設置することで屋根裏の空気を屋外に換気する換気装置であって、
上面部材と下面部材とを備え、
上面部材は、棟と平行に配置する第１上面部材と第２上面部材とを棟頂点部で折り曲げる折曲げ部で連結してあるとともに、
複数の上面部材係止片を棟方向と平行であって且つ、当該棟方向に所定の間隔を隔てて垂下してあり、
下面部材は、第１上面部材に係合する第１下面部材と第２上面部材に係合する第２下面部材と有し、第１下面部材及び第２下面部材には上面部材係止片に対応して下面部材係止片を立設してあり、
上面部材係止片と下面部材係止片とを係合することで当該隣接する係合部の間に通気孔を設けるとともに上面部材と下面部材との間に通気空間を形成したものであり、前記上面部材と下面部材とで形成した通気空間であって、上面部材と下面部材とのうち、少なくとも一方に棟と略平行で且つ、前記通気孔よりも奥側に位置し、当該通気孔から流入する雨水を遮断するための棟平行リブを形成し、前記上面部材と下面部材とで形成した通気空間であって、上面部材と下面部材とのうち、少なくとも一方に棟と略直角方向の棟直角リブを形成し、棟と平行に又は木口から風が流れ込むのを防止したことを特徴とする棟換気装置。
【請求項２】
棟方向両端部のうち、一方に連結片を有し、他方に被連結部を有していることを特徴とする請求項１に記載の棟換気装置。  
【発明の詳細な説明】
【技術分野】
【０００１】
本発明は、屋根の棟部に取り付ける棟換気装置に関する。
【背景技術】
【０００２】
屋根の棟部に沿って通気空間を形成し、棟瓦と地瓦との隙間から換気する棟換気構造は公知である。
この種の棟換気装置であっては、瓦の下に棟方向とは直角な方向に風が流れる通気空間を形成することでベンチェリー管現象による屋根裏の排気作用をねらったものである。
この場合に、通気空間は空気の流れは許容するが雨水は遮断しなければならないので、例えば通気孔を遮るように遮断壁を設けた上面部材と下面部材とをビス等のねじ止めで重ね合わせていた（特許文献１等）
しかし、この構造では換気装置の組立作業が大変であり、また棟部に沿って換気装置を連結する際に、棟部の長さに合わせて換気装置の棟方向側の一端を切断しなけらばならない場合が多いが、切断部木口からの雨水の浸入が問題となる。
【０００３】
【特許文献１】特開２００１−２７９８９５号公報
【発明の開示】
【発明が解決しようとする課題】
【０００４】
本発明は上記技術的課題に鑑みて、組み立て及び連結作業が容易で、切断木口からの雨水浸入を効果的に防止できる棟換気装置の提供を目的とする。
【課題を解決するための手段】
【０００５】
本発明の技術的要旨は、屋根の棟部に設置することで屋根裏の空気を屋外に換気する換気装置であって、上面部材と下面部材とを備え、上面部材は、棟と平行に配置する第１上面部材と第２上面部材とを棟頂点部で折り曲げる折曲げ部で連結してあるとともに、複数の上面部材係止片を棟方向と平行であって且つ、当該棟方向に所定の間隔を隔てて垂下してあり、下面部材は、第１上面部材に係合する第１下面部材と第２上面部材に係合する第２下面部材と有し、第１下面部材及び第２下面部材には上面部材係止片に対応して下面部材係止片を立設してあり、上面部材係止片と下面部材係止片とを係合することで当該隣接する係合部の間に通気孔を設けるとともに上面部材と下面部材との間に通気空間を形成したものであり、前記上面部材と下面部材とで形成した通気空間であって、上面部材と下面部材とのうち、少なくとも一方に棟と略平行で且つ、前記通気孔よりも奥側に位置し、当該通気孔から流入する雨水を遮断するための棟平行リブを形成し、前記上面部材と下面部材とで形成した通気空間であって、上面部材と下面部材とのうち、少なくとも一方に棟と略直角方向の棟直角リブを形成し、棟と平行に又は木口から風が流れ込むのを防止したことを特徴とする棟換気装置 とした点である。
【０００６】
上面部材係止片と下面部材係止片との係合構造は、例えばそれぞれの先端に互いに係合するフック部を設けて、いずれか一方の係止片を弾性変形させた上で、フック部同士を係止片の弾性復元力で係合させる構造が考えられる。
【０００７】
本発明は、上面部材と下面部材とで形成した通気空間であって、上面部材と下面部材とのうち、少なくとも一方に棟と略平行の棟平行リブを形成してある。
【０００８】
棟と略平行の棟平行リブを形成しとは、通気空間には棟に対する直角方向より風が流入することから、この風が含む雨水を遮断する障壁となるように、通気空間に向けて棟と略平行に突出させた棟平行リブを形成する趣旨である。
【０００９】
本発明は、上面部材と下面部材とで形成した通気空間であって、上面部材と下面部材とのうち、少なくとも一方に棟と略直角方向の棟直角リブを形成してある。
【００１０】
棟と略直角方向の棟直角リブを形成することで、通気空間に流れ込んだ風が棟方向に流れ込むのを防止するとともに、木口からの流れ込みを防ぐ趣旨である。
【００１１】
請求項２記載の発明の技術的要旨は、棟方向両端部のうち、一方に連結片を有し、他方に被連結部を有している点である。
これにより棟の長さに合わせて容易に連結しやすくなる。
【発明の効果】
【００１２】
本発明に係る棟換気装置においては、上面部材と下面部材とをそれぞれに設けてある係止片同士の係合で連結するだけで組立てられるので作業性がよい。
また、上面部材と下面部材との間の通気空間には、棟と平行な棟平行リブを設けてあり、通気孔から棟と直角方向に流入する風が含む雨水飛沫をこの棟平行リブで遮断する。
また、通気空間に向けて棟と直角な棟直角リブを設けてあるため、棟換気装置の棟方向側の一端を棟部の長さに合わせるために切断しても、その切断部からの雨水飛沫の浸入をこの棟直角リブで防止する。
棟換気装置は、棟方向両端の一方に連結片を有して、他方に被連結部を有していることから、複数の棟換気装置を非常に簡単に連結出来るため、棟部への取付作業性が良い。
【発明を実施するための最良の形態】
【００１３】
本発明に係る棟換気装置の実施例について図面を用いて説明する。
図１は棟換気装置１０の実施例の斜視図を示し、図１（ａ）は屋根の棟部に設置出来るように棟換気装置１０を折曲げ部２１で折曲げた状態を示し、図１（ｂ）は折曲げていない状態を示す。
また、図２に棟換気装置の分解図を示し、図７に上面部材２０を想像線として折曲げていない棟換気装置を描いた平面図を示す。
棟換気装置１０は説明のために、棟換気装置１０の屋根の棟部への設置時に棟方向となる方向を、図示するように棟方向と称し、また、軒に向く側を軒側と称し、棟の頂点付近となる側を棟頂点側と称する。
棟換気装置１０は、上面部材２０と下面部材３０とを備え、上面部材２０は、第１上面部材２２と第２上面部材２３と折曲げ部２１とを有して、第１上面部材２２と第２上面部材２３は、図２に示すようにそれぞれの棟方向に平行な板状の天板部２２ａ、２３ａを有している。
棟換気装置１０は樹脂製で、第１上面部材２２と第２上面部材２３と折曲げ部２１は一体に形成してある。
折曲げ部２１は、折曲溝２１ａで折り曲げて屋根の棟を跨らせるもので、第１上面部材２２と第２上面部材２３の天板部２２ａ、２３ａを両軒側に連結している。
折曲げ部２１は折曲溝２１ａを、その両軒側に連結している第１上面部材２２と第２上面部材２３の中間位置を棟方向に細く薄肉とした溝状としてあり、第１上面部材２２と第２上面部材２３とをこの折曲溝２１ａで互いにヒンジ状に折曲げることができるようになっている。
図２に示すように、第１、第２上面部材２２、２３の天板部２２ａ、２３ａの下面部材３０側には、上面部材係止片２４と、棟平行リブ２５と、棟直角リブ２６とが形成してある。
上面部材係止片２４と棟平行リブ２５はそれぞれ棟方向と平行に、棟直角リブ２６は棟方向と略直角に形成してあり、それぞれ所定の配置となり、棟方向にその配置を繰り返して、複数を下面部材３０に向けて垂下させてある。
上面部材２０の軒側の、上面部材係止片２４と、棟直角リブ２６との間は、通気孔２９ａ、２９ｂを有している。
【００１４】
下面部材３０は、第１上面部材２２に係合する第１下面部材３２と、第２上面部材２３に係合する第２下面部材３３と有している。
第１下面部材３２と第２下面部材３３は、それぞれの棟方向に平行な板状の底板部３２ａ、３３ａを有している。
第１下面部材３２及び第２下面部材３３のそれぞれの底板部３２ａ、３３ａには、上面部材係止片２４に対応して下面部材係止片３４を立設してある。
棟換気装置１０は、上面部材２０と下面部材３０とを、後述するように上面部材係止片２４と下面部材係止片３４とを係合して連結する。
また棟換気装置１０は、棟方向に他の棟換気装置を連結するために、棟方向の両端に連結片２７、３７と被連結部２８、３８とを設けている。
【００１５】
棟換気装置を組み立てる組立手順の説明図を図３に示す
棟換気装置１０は、図１（ｂ）におけるＡ−Ａ線断面に対応する断面を描いてある。
まず、図３（ａ）に示すように第１、第２下面部材３２、３３の下面部材係止片３４の位置を、それぞれ対応する上面部材２０の上面部材係止片２４に合わせる。
そして、上面部材２０の棟直角リブ２６に形成してあるガイド凹部２６ａに、第１、第２下面部材３２、３３の棟平行リブ３５を沿わせつつ、上面部材２０に向けて押し込んでいく。
そして、図３（ｂ）に示すように上面部材係止片２４のフック２４ａと、下面部材係止片３４のフック３４ａとが突き当たった状態から、上面部材係止片２４を弾性変形により撓ませつつ更に第１、第２下面部材３２、３３を上面部材２０に向けて押し込んでいく。
この時、上面部材係止片２４が弾性復帰しようとする力の反作用は、ガイド凹部２６ａを通して第１、第２下面部材３２、３３の棟平行リブ３５で受けている。
そして、図３（ｃ）に示すように上面部材係止片２４のフック２４ａを下面部材係止片３４のフック３４ａにスナップ係合させて、上面部材２０に第１、第２下面部材３２、３３を取り付ける。
棟換気装置１０の組立は、このように上面部材２０と下面部材のフック２４ａ、３４ａ同士の弾性係合により簡単に行える。
棟換気装置１０は、図３（ｄ）に示すように、屋根の勾配に合わせて折曲げ部２１の折曲溝２１ａでヒンジ状に折り曲げる。
【００１６】
図４の説明図を用いて、棟換気装置の屋根の棟部への取付状態と、その換気構造について説明する。
図４（ａ）は棟換気装置１０を屋根１の棟部２へ取り付けた状態で、図１（ａ）におけるＢ−Ｂ線部分で切断した説明図を示し、図４（ｂ）はその棟換気装置１０部分の拡大図を示す。
棟換気装置１０は、上面部材２０と、第１下面部材３２及び第２下面部材３３とからなる下面部材との間に、軒側は通気孔２９ａ、２９ｂで開口し、、第１下面部材３２と第２下面部材３３との間は通気口３１で開口した通気空間１１を形成している。
屋根１の拝み部分には、野路板４を棟方向に開口した換気口３を設けてあり、棟換気装置１０は、通気口３１と換気口３とを合わせて、通気孔２９ａ、２９ｂをそれぞれ屋根の軒側に向けるように、折曲げ部２１の折曲溝２１ａを棟の頂点部で折り曲げてある。
棟換気装置１０は、第１下面部材３２と第２下面部材３３を、それぞれ換気口３を挟む位置で釘打ちや、ビス止めする等して棟部２に取り付けてある。
棟換気装置１０の上には土盛りがしてあるが、棟換気装置１０は図１（ａ）に示すように、第１上面部材２２、第２上面部材２３、折曲げ部２１のいずれも上に向けた開口部を設けていないために、通気空間１１に土が入ることはない。
棟換気装置１０は、風が棟と略直角方向の屋根勾配方向に、例えば矢印Ｃに示すように一方の通気孔２９ａからもう一方の通気孔２９ｂに向けて通気空間１１を通って抜けることで、家屋内の空気をベンチェリー管現象で矢印Ｄに示すように換気口３から通気口３１を通して引き上げて、通気孔２９ｂを通して排気させる。
この、風が通気空間１１を通って抜ける通気路には、第１、第２下面部材３２、３３からは棟平行リブ３５が、上面部材２０からは棟平行リブ２５が、それぞれ雨水遮断障壁として交互に通気口３１よりも軒側で突出させてあり、風にのった雨水の飛沫が換気口３まで到達しないようにしてある。
【００１７】
図４（ｃ）は、棟部に取り付けた棟換気装置を図１（ａ）におけるＥ−Ｅ線部分で切断した断面の説明図を示す。
上面部材２０の棟直角リブ２６と、下面部材３０の棟直角リブ３６とは互いに先端を突き合わせて、通気空間１１の棟方向を閉じるように形成してある。
これにより、棟方向に通気空間１１を抜けようとする風を雨水とともに遮断し、加えて、この棟直角リブ２６、３６で、上面部材２０の通気空間側面２０ａを支えて、上方から上面部材２０に加わる荷重を支持するものとしてある。
棟直角リブ２６、３６は、図２に示すように上面部材２０と下面部材３０の棟方向に所定間隔で複数設けてある。
このため、棟換気装置１０は棟方向の一端を切断しても、この棟直角リブ２６、３６により、その切断部からの雨水を伴う風の吹き込みを防止する。
棟方向に複数設けてある棟直角リブ２６、３６のそれぞれの間は、上面部材係止片２４、下面部材係止片３６、棟平行リブ２５、３５、３５ａがそれぞれ同じ所定位置に、棟方向の棟直角リブ毎に同じ配置を繰り返して配設してある。
よって、棟換気装置１０はこの棟直角リブに挟まれた部分を残すように切断するものであれば棟に設置した時に、未切断の棟換気装置と同様の換気作用を生じさせることができる。
【００１８】
複数の棟換気装置を棟方向に連結する構造について図５、図６の説明図を用いて説明する。
説明は分かりやすくするために、上面部材同士の連結構造と、下面部材同士の連結構造とを別々に行う。
図５は上面部材２０同士の連結構造の説明図を示し、図６は下面部材３０同士の連結構造の説明図を示す。
図１（ｂ）に示すように上面部材２０の棟方向の両端部には、それぞれ連結片２７と被連結部２８とが、棟方向の両端位置を回転しても同位置となるように設けてある。
そして、この連結片２７と被連結部２８は、それぞれ図５（ａ）に示すように棟方向に並べた別の棟換気装置の上面部材２０の被連結部２８、連結片２７と棟方向の位置が合うように配設されてある。
連結片２７は連結片ベース２７ａと、ガイド片２７ｂと、係合凸部２７ｃとを有し、連結片ベース２７ａは上面部材２０の天板部２２ａ、２３ａの棟方向の一端を棟方向に凸形に延長して形成してある。
被連結部２８は被連結部ベース２８ａと、ガイド溝２８ｂと係合凹部２８ｃとを有し、被連結部ベース２８ａは天板部２２ａ、２３ａの連結する連結片に対応する棟方向の一端を連結片を合わせて、沿わせられるように凹ませて形成してある。
連結片２７のガイド片２７ｂは折れ目を棟方向とした断面Ｌ形に曲げて形成してあり、被連結部２８のガイド溝２８ｂは棟方向の切れ目により形成してある。
ガイド片２７ｂとガイド溝２８ｂは、図５（ｂ）に示すように、ガイド片２７ｂをガイド溝２８ｂに嵌合させることで、連結片ベース２７ａを棟方向の差し込み方向を除いて拘束して被連結部ベース２８ａに沿わせて差し込めるように形成してある。
図５（ｂ）に示す状態から連結片ベース２７ａに設けてある係合凸部２７ｃを被連結片ベース２８ａに乗り上がらせつつ更に差し込み、この係合凸部２７ｃを被連結片ベース２８ａに設けてある係合凹部２８ｃにスナップ係合させることで、図５（ｃ）に示すように連結片２７と被連結部２８とを連結して、上面部材２０同士を連結する。
【００１９】
次いで、下面部材同士の連結構造について説明する。
図２に示すように下面部材３０の棟方向の両端部には、それぞれ連結片３７と被連結部３８とが、第１下面部材３２と第２下面部材３３にそれぞれ、棟換気装置を棟方向に両端位置を回転させても同位置となるように設けてある。
この連結片３７と被連結部３８は、それぞれ図６（ａ）に示すように棟方向に並べた別の棟換気装置の下面部材３０の被連結部３８、連結片３７と棟方向の位置が合うように配設してある。
連結片３７は連結片ベース３７ａと、ガイド溝３７ｂと、係合凸部３７ｃとを有し、連結片ベース３７ａは下面部材３０の底板部３２ａ、３３ａの棟方向端部を棟方向に凸形を形成するようにガイド溝３７ｂで切り込んで形成してある。
被連結部３８は被連結部ベース３８ａと、ガイド片３８ｂと係合凹部３８ｃとを有し、被連結部ベース３８ａは底板部３２ａ、３３ａを連結片３７に合わせて沿わすことができるように凹ませてある。
連結片３７のガイド溝３７ｂは棟方向の切れ目により形成してあり、被連結部３８のガイド片３８ｂは折れ目を棟方向とした断面Ｌ形になっている。
連結片３７と被連結部３８とは、図６（ｂ）に示すように、ガイド溝３７ｂにガイド片３８ｂを嵌合させることで、連結片ベース３７ａを棟方向の差し込み方向を除いて拘束して被連結部ベース３８ａに沿わせて差し込めるようにしてある。
図６（ｂ）に示す状態から連結片ベース３７ａに設けてある係合凸部３７ｃを被連結部ベース３８ａに形成してある係合凹部３８ｃにスナップ係合させることで図６（ｃ）に示すように連結片３７と被連結部３８とを連結して、下面部材３０同士を連結する。
図５に示す上面部材２０同士の連結も、図６に示す下面部材３０同士の連結も、棟方向向きの嵌合によるスナップ係合であるため、棟換気装置１０同士の連結は、上面部材と下面部材の連結片と被連結部とをそれぞれ合わせて棟方向に差し込むことで行える。
この連結は、棟方向に差し込むだけであるため、棟換気装置は図１（ａ）に示すような折曲げ状態でも容易に、他の棟換気装置と連結できる。
複数の棟換気装置を連結した状態の外観図を図８に示す。
【図面の簡単な説明】
【００２０】
【図１】本発明に係る棟換気装置の実施例の斜視図を示す。
【図２】棟換気装置の分解図を示す。
【図３】棟換気装置の組立手順の説明図を示す。
【図４】棟換気装置を屋根の棟部へ取り付けた状態の説明図を示す。
【図５】上面部材同士の連結構造の説明図を示す。
【図６】下面部材同士の連結構造の説明図を示す。
【図７】折曲げていない棟換気装置の上面部材を想像線で描いた平面図を示す。
【図８】複数の棟換気装置を棟方向に連結した状態の斜視図を示す。
【符号の説明】
【００２１】
１      屋根
２      棟部
３      換気口
４      野路板
１０    棟換気装置
１１    通気空間
２０    上面部材
２０ａ  通気空間側面
２１    折曲げ部
２１ａ  折曲溝
２２    第１上面部材
２２ａ  第１上面部材天板部
２３    第２上面部材
２３ａ  第２上面部材天板部
２４    上面部材係止片
２４ａ  上面部材係止片フック
２５    棟平行リブ
２６    棟直角リブ
２６ａ  ガイド凹部
２７    連結片
２７ａ  連結片ベース
２７ｂ  ガイド片
２７ｃ  係合凸部
２８    被連結部
２８ａ  被連結部ベース
２８ｂ  ガイド溝
２８ｃ  係合凹部
２９ａ、２９ｂ  通気孔
３０    下面部材
３１    通気口
３２    第１下面部材
３２ａ  第１下面部材底板部
３３    第２下面部材
３３ａ  第２下面部材底板部
３４    下面部材係止片
３４ａ  下面部材係止片フック
３５、３５ａ  棟平行リブ
３６    棟直角リブ
３７    連結片
３７ａ  連結片ベース
３７ｂ  ガイド溝
３７ｃ  係合凸部
３８    被連結部
３８ａ  被連結部ベース
３８ｂ  ガイド片
３８ｃ  係合凹部
【図１】
0004822516.tif 000002
【図２】
0004822516.tif 000003
【図３】
0004822516.tif 000004
【図４】
0004822516.tif 000005
【図５】
0004822516.tif 000006
【図６】
0004822516.tif 000007
【図７】
0004822516.tif 000008
【図８】
0004822516.tif 000009